(57)【要約】【課題】  カメラ１００の充電とデータのバックアップを同時に行い、メモリ残量に拘わらず撮影することができるようにする。【解決手段】  カメラ１００がクレードル２００に装着されると、カメラ１００のカメラモジュール１１０によって撮影された画像の画像データが、クレードル２００のＨＤＤ２２０に直接転送されて記録されるとともに、カメラ１００のフラッシュメモリ１３３に既に記録した画像データがクレードル２００のＨＤＤ２２０にバックアップされる。また、クレードル２００はＡＣコード２８０を介して供給された電力を用いて充電回路２０４がカメラ１００の充電池を充電する。また、クレードル２００には三脚穴２８０が設けられており、三脚に固定して撮影することができる。【選択図】      図３
2006165851.tif 000002
【特許請求の範囲】
【請求項１】
所定の被写体の画像を撮像する撮像装置であって、
前記画像を撮像する撮像手段と、
前記撮像手段によって撮像された前記画像に対応する画像データを所定の記憶媒体または所定の外部記憶装置に記憶させる制御手段と、
前記外部記憶装置に接続する接続手段と、
前記接続手段によって前記外部記憶装置に接続されたことを検出する接続検出手段と、
前記接続検出手段によって前記外部記憶装置に接続されたことが検出された場合には前記記憶媒体に記憶された前記画像データを前記制御手段の制御によって前記外部記憶装置に転送する転送処理手段と
を具備することを特徴とする撮像装置。
【請求項２】
前記制御手段は、前記接続手段によって前記外部記憶装置に前記撮像装置が接続されている間には前記撮像装置によって撮像された前記画像に対応する前記画像データを前記外部記憶装置に記憶させる
ことを特徴とする請求項１記載の撮像装置。
【請求項３】
前記画像データのサイズと前記記憶媒体の空き容量とに基づいて前記記憶媒体に前記画像データを記憶させることができるか否かを判定する判定手段をさらに具備し、
前記制御手段は、前記判定手段による判定結果に応じて前記画像データを前記記憶媒体に記憶させるかもしくは転送処理手段によって前記外部記憶装置に転送させる
ことを特徴とする請求項１記載の撮像装置。
【請求項４】
前記制御手段は、前記判定手段によって前記記憶媒体に前記画像データを記憶させることができると判定された場合には前記撮像装置が前記外部記憶装置に前記接続手段によって接続されているか否かに拘わらず前記画像データを前記記憶媒体に記憶させる
ことを特徴とする請求項３記載の撮像装置。
【請求項５】
前記制御手段は、前記画像データを前記記憶媒体に所定のファイル名で記憶させているときに前記接続手段を介して前記撮像装置が前記外部記憶装置に接続された場合には前記画像データと関連する他の画像データを前記外部記憶装置に別のファイル名で記憶させて前記ファイル名で記憶された前記画像データと併合する
ことを特徴とする請求項４記載の撮像装置。
【請求項６】
撮像装置に接続する接続手段と、
前記接続手段によって前記撮像装置が接続されたことを検出する接続検出手段と、
前記接続検出手段によって前記撮像装置に接続されたことが検出された場合には前記接続手段を介して前記撮像装置によって撮像された画像データを読み出す読出手段と、
前記読出手段によって読み出された前記画像データを保存する保存手段と
を具備することを特徴とする外部記憶装置。
【請求項７】
前記保存手段はハードディスク装置であって、
前記撮像装置が接続された状態で音声を記録している場合には前記ハードディスク装置を構成するプラッタの回転速度を低下させる速度制御手段をさらに具備することを特徴とする請求項６記載の外部記憶装置。
【請求項８】
所定の被写体の画像を撮像する撮像装置と、前記撮像装置によって撮像された前記画像を保存する外部記憶装置とを備える撮像システムであって、
前記撮像装置は、
前記画像を撮像する撮像手段と、
前記撮像手段によって撮像された前記画像に対応する画像データを所定の記憶媒体または所定の外部記憶装置に記憶させる制御手段と、
前記外部記憶装置に接続する第１の接続手段と、
前記接続手段によって前記外部記憶装置に接続されたことを検出する第１の接続検出手段と、
前記第１の接続検出手段によって前記外部記憶装置に接続されたことが検出された場合には前記記憶媒体に記憶された前記画像データを前記制御手段の制御によって前記外部記憶装置に転送する転送処理手段とを具備するものであり、
前記外部記憶装置は、
撮像装置に接続する第２の接続手段と、
前記接続手段によって前記撮像装置に接続されたことを検出する第２の接続検出手段と、
前記第２の接続検出手段によって前記撮像装置が接続されたことが検出された場合には前記転送処理手段によって転送された前記画像データおよび前記撮像手段によって撮像された前記画像データを保存する保存手段とを具備するものである
ことを特徴とする撮像システム。
【請求項９】
所定の被写体の画像を撮像する撮像装置と、前記撮像装置に接続可能な外部記憶装置とを備える撮像システムにおける制御方法であって、
前記撮像装置が前記外部記憶装置に接続されたか否かを検出する手順と、
前記撮像装置が前記外部記憶装置に接続された場合には前記撮像装置における所定の記憶媒体から前記外部記憶装置に対して前記画像に対応する画像データを転送する手順と、
前記画像の撮像が指示された場合において前記撮像装置が前記外部記憶装置に接続されていれば前記画像データを前記外部記憶装置に記憶させる手順と、
前記画像の撮像が指示された場合において前記撮像装置が前記外部記憶装置に接続されていなければ前記画像データを前記撮像装置における前記記憶媒体に記憶させる手順と
を具備することを特徴とする制御方法。
【請求項１０】
所定の被写体の画像を撮像する撮像装置と、前記撮像装置に接続可能な外部記憶装置とを備える撮像システムにおける制御方法であって、
前記撮像装置が前記外部記憶装置に接続されたか否かを検出する手順と、
前記撮像装置が前記外部記憶装置に接続された場合には前記撮像装置における所定の記憶媒体から前記外部記憶装置に対して前記画像に対応する画像データを転送する手順と、
前記撮像装置における前記記憶媒体が溢れることを検出する手順と、
前記画像の撮像が指示された場合において前記撮像装置が前記外部記憶装置に接続されていて且つ前記記憶媒体が溢れるときには前記画像データを前記外部記憶装置に記憶させる手順と、
前記画像の撮像が指示された場合において前記撮像装置が前記外部記憶装置に接続されておらずもしくは前記撮像装置が前記外部記憶装置に接続されていても前記記憶媒体が溢れないときには前記画像データを前記撮像装置における前記記憶媒体に記憶させる手順と
を具備することを特徴とする制御方法。
【請求項１１】
所定の被写体の画像を撮像する撮像装置と、前記撮像装置に接続可能なハードディスク装置とを備える撮像システムにおける制御方法であって、
前記撮像装置が前記ハードディスク装置に接続されたか否かを検出する手順と、
前記撮像装置において音声入力がされていることを検出する手順と、
前記画像の撮像が指示された場合において前記撮像装置が前記ハードディスク装置に接続されていて且つ前記撮像装置において音声入力がされていれば前記ハードディスク装置のプラッタ回転速度を低下させて記憶させる手順と
を具備することを特徴とする制御方法。
【請求項１２】
所定の被写体の画像を撮像する撮像装置と、前記撮像装置に接続可能な外部記憶装置とを備える撮像システムにおいて、
前記撮像装置が前記外部記憶装置に接続されたか否かを検出する手順と、
前記撮像装置が前記外部記憶装置に接続された場合には前記撮像装置における所定の記憶媒体から前記外部記憶装置に対して前記画像に対応する画像データを転送する手順と、
前記画像の撮像が指示された場合において前記撮像装置が前記外部記憶装置に接続されていれば前記画像データを前記外部記憶装置に記憶させる手順と、
前記画像の撮像が指示された場合において前記撮像装置が前記外部記憶装置に接続されていなければ前記画像データを前記撮像装置における前記記憶媒体に記憶させる手順と
をコンピュータに実行させることを特徴とするプログラム。
【請求項１３】
所定の被写体の画像を撮像する撮像装置と、前記撮像装置に接続可能な外部記憶装置とを備える撮像システムにおいて、
前記撮像装置が前記外部記憶装置に接続されたか否かを検出する手順と、
前記撮像装置が前記外部記憶装置に接続された場合には前記撮像装置における所定の記憶媒体から前記外部記憶装置に対して前記画像に対応する画像データを転送する手順と、
前記撮像装置における前記記憶媒体が溢れることを検出する手順と、
前記画像の撮像が指示された場合において前記撮像装置が前記外部記憶装置に接続されていて且つ前記記憶媒体が溢れるときには前記画像データを前記外部記憶装置に記憶させる手順と、
前記画像の撮像が指示された場合において前記撮像装置が前記外部記憶装置に接続されておらずもしくは前記撮像装置が前記外部記憶装置に接続されていても前記記憶媒体が溢れないときには前記画像データを前記撮像装置における前記記憶媒体に記憶させる手順と
をコンピュータに実行させることを特徴とするプログラム。
【請求項１４】
所定の被写体の画像を撮像する撮像装置と、前記撮像装置に接続可能なハードディスク装置とを備える撮像システムにおいて、
前記撮像装置が前記ハードディスク装置に接続されたか否かを検出する手順と、
前記撮像装置において音声入力がされていることを検出する手順と、
前記画像の撮像が指示された場合において前記撮像装置が前記ハードディスク装置に接続されていて且つ前記撮像装置において音声入力がされていれば前記ハードディスク装置のプラッタ回転速度を低下させて記憶させる手順と
をコンピュータに実行させることを特徴とするプログラム。
【発明の詳細な説明】
【技術分野】
【０００１】
本発明は、撮像装置に関し、特に撮影した動画や静止画のデータを所定の記憶媒体に保存する撮像装置、撮像装置に接続される外部記憶装置、撮像システム、および、その処理方法ならびに当該方法をコンピュータに実行させるプログラムに関する。
【背景技術】
【０００２】
従来、デジタルスチルカメラ等においては、撮影した画像を保存するために、デジタルスチルカメラ本体に内蔵されているフラッシュメモリだけでなく、取り外し自在なフラッシュメモリまたはハードディスク等の外部記憶媒体が使用される。これらの外部記憶媒体の記憶容量は年々増加しているものの上限があるので、容量を使い切ったときにコンピュータ等の外部の情報記憶機器に転送して保存した後、外部記憶媒体に記憶されたデータを削除して空き容量を確保する必要があった。
【０００３】
しかし、この場合、単なるデータのバックアップのために、コンピュータを起動してコンピュータにデジタルスチルカメラ本体、または、デジタルスチルカメラから取り外した外部記憶装置を接続しなければならない。一般に、コンピュータの起動には時間がかかる。そのため、データのバックアップはユーザにとっては面倒な作業であった。
【０００４】
最近では、デジタルスチルカメラ本体の充電池を充電する機能だけでなく、デジタルスチルカメラ本体が所定位置に載置されたとき、または、デジタルスチルカメラ本体の充電地に対する充電が開始されたときに、デジタルスチルカメラに内蔵されているフラッシュメモリ等に記憶されているデータをコンピュータに転送する機能も有する架台または受け台（以下、クレードルと記載する）が提案されている。
【０００５】
しかしながら、このクレードルを利用した場合もコンピュータが起動していなければデータを転送することができないため、単なる充電装置と変わりがなく、コンピュータを起動しなければならないという面倒な作業を省くことはできない。
【０００６】
そこで、ハードディスク等の高容量の記憶媒体を内蔵し、撮像装置によって撮影された静止画や動画のデータを簡単にバックアップする外部記憶装置が提案されている（例えば、特許文献１参照）。
【０００７】
この特許文献１に記載された発明は、撮像装置を外部記憶装置に装着すると、外部記憶装置が撮像装置に内蔵されている記憶媒体から静止画や動画のデータを読み出し、読み出したデータを外部記憶装置に内蔵されている記憶媒体に書き込み、撮像装置に内蔵されている記憶媒体のデータを消去するというものである。
【０００８】
しかしながら、上述した従来の撮像装置においては、撮像装置単体で撮影を行い、撮影した静止画や動画のデータを撮像装置内の記憶媒体に保存し、保存したデータをバックアップした後に消去したいときには、撮像装置が外部記憶装置に装着されることを前提としており、外部記憶装置に装着された状態で撮影を行うことについては考えられていない。
【０００９】
従って、撮影を行う場合、撮像装置の記憶媒体の容量までしか一度に撮影することができない。このため、記憶媒体の残容量が新たにデータを記憶するために必要な記憶容量よりも少なくなる毎に、一旦、撮影を中断して保存したデータを外部記憶装置にバックアップする必要があった。
【特許文献１】特開２００２−２０９１７５号公報（図１）
【発明の開示】
【発明が解決しようとする課題】
【００１０】
このように、従来の撮像装置においては、撮影時の記憶媒体の容量に制限があり、保存した静止画や動画のデータを外部記憶装置にバックアップした後に消去したい場合、撮影を一旦中断しなればならない。このため、機動性に欠けるという課題があった。また、撮像装置の記憶媒体の容量に制限があるので、高容量の静止画の連続撮影や高容量の動画撮影等ができない場合があるという問題があった。
【００１１】
そこで、本発明は、撮像装置内の記憶媒体の残容量が新たに静止画や動画のデータを記憶するために必要な記憶容量より少ない場合でも中断することなく撮影を行うと同時に、データのバックアップを行うことができるようにすることを目的とする。
【課題を解決するための手段】
【００１２】
本発明は、上記課題を解決するためになされたものであり、その第１の側面は、所定の被写体の画像を撮像する撮像装置であって、上記画像を撮像する撮像手段と、上記撮像手段によって撮像された上記画像に対応する画像データを所定の記憶媒体または所定の外部記憶装置に記憶させる制御手段と、上記外部記憶装置に接続する接続手段と、上記接続手段によって上記外部記憶装置に接続されたことを検出する接続検出手段と、上記接続検出手段によって上記外部記憶装置に接続されたことが検出された場合には上記記憶媒体に記憶された上記画像データを上記制御手段の制御によって上記外部記憶装置に転送する転送処理手段とを具備することを特徴とする撮像装置である。これにより、撮像装置と外部記憶装置との接続がされた状態では撮像装置の記憶媒体または外部記憶装置の何れかに適宜記憶させるという作用をもたらす。
【００１３】
また、本発明の第１の側面において、上記制御手段が、上記接続手段によって上記外部記憶装置に上記撮像装置が接続されている間には上記撮像装置によって撮像された上記画像に対応する上記画像データを上記外部記憶装置に記憶させるようにすることができる。これにより、記憶媒体の空き容量を気にすることなく撮影を続けさせるという作用をもたらす。
【００１４】
また、本発明の第１の側面において、上記画像データのサイズと上記記憶媒体の空き容量とに基づいて上記記憶媒体に上記画像データを記憶させることができるか否かを判定する判定手段をさらに具備し、上記制御手段が、上記判定手段による判定結果に応じて上記画像データを上記記憶媒体に記憶させるかもしくは転送処理手段によって上記外部記憶装置に転送させるようにすることができる。これにより、記憶媒体と外部記憶装置のいずれか一方に優先的に画像データを記憶させるという作用をもたらす。
【００１５】
また、本発明の第１の側面において、上記制御手段が、上記判定手段によって上記記憶媒体に上記画像データを記憶させることができると判定された場合には上記撮像装置が上記外部記憶装置に上記接続手段によって接続されているか否かに拘わらず上記画像データを上記記憶媒体に記憶させるようにすることができる。これにより、記憶媒体に優先して画像データを記憶させるという作用をもたらす。
【００１６】
また、本発明の第１の側面において、上記制御手段が、上記画像データを上記記憶媒体に所定のファイル名で記憶させているときに上記接続手段を介して上記撮像装置が上記外部記憶装置に接続された場合には上記画像データと関連する他の画像データを上記外部記憶装置に別のファイル名で記憶させて上記ファイル名で記憶された上記画像データと併合するようにしてもよい。これにより、関連したファイルを１つのファイルに併合させるという作用をもたらす。
【００１７】
本発明の第２の側面は、撮像装置に接続する接続手段と、上記接続手段によって上記撮像装置が接続されたことを検出する接続検出手段と、上記接続検出手段によって上記撮像装置に接続されたことが検出された場合には上記接続手段を介して上記撮像装置によって撮像された画像データを読み出す読出手段と、上記読出手段によって読み出された上記画像データを保存する保存手段とを具備することを特徴とする外部記憶装置である。これにより、撮像装置によって撮像された画像データを保存して、記憶媒体の空き容量を気にすることなく撮影を続けさせるという作用をもたらす。
【００１８】
また、本発明の第２の側面において、上記保存手段はハードディスク装置であって、上記撮像装置が接続された状態で音声を記録している場合には上記ハードディスク装置を構成するプラッタの回転速度を低下させる速度制御手段をさらに具備することができる。これにより、ハードディスク装置の発するノイズ音を低減させ、ノイズ音の記録を抑制させるという作用をもたらす。
【００１９】
本発明の第３の側面は、所定の被写体の画像を撮像する撮像装置と、上記撮像装置によって撮像された上記画像を保存する外部記憶装置とを備える撮像システムであって、上記撮像装置が、上記画像を撮像する撮像手段と、上記撮像手段によって撮像された上記画像に対応する画像データを所定の記憶媒体または所定の外部記憶装置に記憶させる制御手段と、上記外部記憶装置に接続する第１の接続手段と、上記接続手段によって上記外部記憶装置に接続されたことを検出する第１の接続検出手段と、上記第１の接続検出手段によって上記外部記憶装置に接続されたことが検出された場合には上記記憶媒体に記憶された上記画像データを上記制御手段の制御によって上記外部記憶装置に転送する転送処理手段とを具備するものであり、上記外部記憶装置が、撮像装置に接続する第２の接続手段と、上記接続手段によって上記撮像装置に接続されたことを検出する第２の接続検出手段と、上記第２の接続検出手段によって上記撮像装置が接続されたことが検出された場合には上記転送処理手段によって転送された上記画像データおよび上記撮像手段によって撮像された上記画像データを保存する保存手段とを具備するものであることを特徴とする撮像システムである。これにより、撮像装置と外部記憶装置との接続がされた状態では撮像装置の記憶媒体または外部記憶装置の何れかに適宜記憶させるという作用をもたらす。
【００２０】
本発明の第４の側面は、所定の被写体の画像を撮像する撮像装置と、上記撮像装置に接続可能な外部記憶装置とを備える撮像システムにおける制御方法であって、上記撮像装置が上記外部記憶装置に接続されたか否かを検出する手順と、上記撮像装置が上記外部記憶装置に接続された場合には上記撮像装置における所定の記憶媒体から上記外部記憶装置に対して上記画像に対応する画像データを転送する手順と、上記画像の撮像が指示された場合において上記撮像装置が上記外部記憶装置に接続されていれば上記画像データを上記外部記憶装置に記憶させる手順と、上記画像の撮像が指示された場合において上記撮像装置が上記外部記憶装置に接続されていなければ上記画像データを上記撮像装置における上記記憶媒体に記憶させる手順とを具備することを特徴とする制御方法である。これにより、撮像装置と外部記憶装置との接続がされた状態では外部記憶装置に記憶させて、記憶媒体の空き容量を気にすることなく撮影を続けさせるという作用をもたらす。
【００２１】
本発明の第５の側面は、所定の被写体の画像を撮像する撮像装置と、上記撮像装置に接続可能な外部記憶装置とを備える撮像システムにおける制御方法であって、上記撮像装置が上記外部記憶装置に接続されたか否かを検出する手順と、上記撮像装置が上記外部記憶装置に接続された場合には上記撮像装置における所定の記憶媒体から上記外部記憶装置に対して上記画像に対応する画像データを転送する手順と、上記撮像装置における上記記憶媒体が溢れることを検出する手順と、上記画像の撮像が指示された場合において上記撮像装置が上記外部記憶装置に接続されていて且つ上記記憶媒体が溢れるときには上記画像データを上記外部記憶装置に記憶させる手順と、上記画像の撮像が指示された場合において上記撮像装置が上記外部記憶装置に接続されておらずもしくは上記撮像装置が上記外部記憶装置に接続されていても上記記憶媒体が溢れないときには上記画像データを上記撮像装置における上記記憶媒体に記憶させる手順とを具備することを特徴とする制御方法である。これにより、撮像装置と外部記憶装置との接続がされた状態では記憶媒体への記憶を継続し、記憶媒体が溢れそうなときに外部記憶装置に記憶させるという作用をもたらす。
【００２２】
本発明の第６の側面は、所定の被写体の画像を撮像する撮像装置と、上記撮像装置に接続可能なハードディスク装置とを備える撮像システムにおける制御方法であって、上記撮像装置が上記ハードディスク装置に接続されたか否かを検出する手順と、上記撮像装置において音声入力がされていることを検出する手順と、上記画像の撮像が指示された場合において上記撮像装置が上記ハードディスク装置に接続されていて且つ上記撮像装置において音声入力がされていれば上記ハードディスク装置のプラッタ回転速度を低下させて記憶させる手順とを具備することを特徴とする制御方法である。これにより、ハードディスク装置の発するノイズ音を低減させ、ノイズ音の記録を抑制させるという作用をもたらす。
【００２３】
本発明の第７の側面は、所定の被写体の画像を撮像する撮像装置と、上記撮像装置に接続可能な外部記憶装置とを備える撮像システムにおいて、上記撮像装置が上記外部記憶装置に接続されたか否かを検出する手順と、上記撮像装置が上記外部記憶装置に接続された場合には上記撮像装置における所定の記憶媒体から上記外部記憶装置に対して上記画像に対応する画像データを転送する手順と、上記画像の撮像が指示された場合において上記撮像装置が上記外部記憶装置に接続されていれば上記画像データを上記外部記憶装置に記憶させる手順と、上記画像の撮像が指示された場合において上記撮像装置が上記外部記憶装置に接続されていなければ上記画像データを上記撮像装置における上記記憶媒体に記憶させる手順とをコンピュータに実行させることを特徴とするプログラムである。これにより、撮像装置と外部記憶装置との接続がされた状態では外部記憶装置に記憶させて、記憶媒体の空き容量を気にすることなく撮影を続けさせるという作用をもたらす。
【００２４】
本発明の第８の側面は、所定の被写体の画像を撮像する撮像装置と、上記撮像装置に接続可能な外部記憶装置とを備える撮像システムにおいて、上記撮像装置が上記外部記憶装置に接続されたか否かを検出する手順と、上記撮像装置が上記外部記憶装置に接続された場合には上記撮像装置における所定の記憶媒体から上記外部記憶装置に対して上記画像に対応する画像データを転送する手順と、上記撮像装置における上記記憶媒体が溢れることを検出する手順と、上記画像の撮像が指示された場合において上記撮像装置が上記外部記憶装置に接続されていて且つ上記記憶媒体が溢れるときには上記画像データを上記外部記憶装置に記憶させる手順と、上記画像の撮像が指示された場合において上記撮像装置が上記外部記憶装置に接続されておらずもしくは上記撮像装置が上記外部記憶装置に接続されていても上記記憶媒体が溢れないときには上記画像データを上記撮像装置における上記記憶媒体に記憶させる手順とをコンピュータに実行させることを特徴とするプログラムである。これにより、撮像装置と外部記憶装置との接続がされた状態では記憶媒体への記憶を継続し、記憶媒体が溢れそうなときに外部記憶装置に記憶させるという作用をもたらす。
【００２５】
本発明の第９の側面は、所定の被写体の画像を撮像する撮像装置と、上記撮像装置に接続可能なハードディスク装置とを備える撮像システムにおいて、上記撮像装置が上記ハードディスク装置に接続されたか否かを検出する手順と、上記撮像装置において音声入力がされていることを検出する手順と、上記画像の撮像が指示された場合において上記撮像装置が上記ハードディスク装置に接続されていて且つ上記撮像装置において音声入力がされていれば上記ハードディスク装置のプラッタ回転速度を低下させて記憶させる手順とをコンピュータに実行させることを特徴とするプログラムである。これにより、ハードディスク装置の発するノイズ音を低減させ、ノイズ音の記録を抑制させるという作用をもたらす。
【発明の効果】
【００２６】
本発明によれば、撮影中に撮像装置に内蔵された記憶媒体の残容量が足りなくなっても、撮影を中断することなく引き続き撮影を行うことができるとともに、記憶媒体に保存した静止画や動画のデータをバックアップすることができるという優れた効果を奏し得る。
【発明を実施するための最良の形態】
【００２７】
次に本発明の実施の形態について図面を参照して詳細に説明する。
【００２８】
図１は、本発明の実施の形態におけるカメラ１００およびクレードル２００の構成例を示すブロック図である。
【００２９】
このカメラ１００は、カメラモジュール１１０と、マイク１２０と、Ａ／Ｄ（Analog/Digital）変換回路１２１と、充電池１２２と、ＤＣ（Direct Current）／ＤＣコンバータ１２３と、ＣＰＵ（Central Processing Unit）１２４と、ＬＣＤ（Liquid Crystal Display）制御回路１２５と、ＶＲＡＭ（Video Random Access Memory）１２６と、表示駆動回路１２７と、ＬＣＤ表示装置１２８と、操作部１２９とを備える。
【００３０】
また、カメラ１００は、マルチプレクサ１３０と、ＲＯＭ（Read Only Memory）１３１と、ＲＡＭ（Random Access Memory）１３２と、フラッシュメモリ１３３と、システムバス１４０と、電源コネクタ１５０と、データコネクタ１６０とを備える。
【００３１】
カメラモジュール１１０は、静止画および動画を撮影し、撮影した静止画および動画に対応する画像データをＣＰＵ１２４に供給する。以下では、静止画データおよび動画データを画像データと記載する。また、音声データを含む場合にも単に画像データと記載する。また、カメラモジュール１１０は、撮影レンズ１１１と、撮像素子１１２と、撮像素子制御回路１１３と、画像処理回路１１４とを備える。
【００３２】
撮影レンズ１１１は、被写体の光学像を撮像素子１１２上に形成する。撮像素子１１２は、ＣＣＤ（Charge Coupled Device）等で構成され、撮影レンズ１１１によって形成された光学像を電気信号に変換し、画像信号として出力する。
【００３３】
撮像素子制御回路１１３は、撮像素子１１２に対して転送クロック信号およびシャッタ信号を供給する（図示しない）タイミング発生回路と、撮像素子１１２から出力された画像信号に対してノイズ除去およびゲイン調整処理を施す（図示しない）ＣＤＳ（相関２重サンプリング）／ＡＧＣ（アナログ・ゲイン制御）回路と、ＣＤＳ／ＡＧＣ回路のアナログ出力を１０ビットのデジタル信号に変換する（図示しない）Ａ／Ｄ変換器を備える。
【００３４】
そして、撮像素子制御回路１１３は、１秒間に３０画面（フレーム）の画像データを常時出力する。画像処理回路１１４は、撮像素子制御回路１１３から出力された画像データに対して、ホワイトバランス調整および露出調整等の画像処理を行い、画像処理を行った画像データをＹＣｂＣｒ形式のデータに変換して出力する。
【００３５】
ＣＰＵ１２４は、ＲＯＭ１３１に記憶されている各種制御プログラムに従って各部を制御するとともに、カメラモジュール１１０の画像処理回路１１４より供給された画像データに対して、ＪＰＥＧ（Joint Photographic Experts Group）、ＭＰＥＧ（Moving Picture Experts Group）等による画像圧縮伸長処理を実行する。
【００３６】
ＲＯＭ１３１には、ＣＰＵ１２４によって実行される各種制御プログラムおよびフォルダの初期設定情報などが記憶される。これらの制御プログラムには、画像処理回路１１４から出力される画像データをＲＡＭ１３２にＤＭＡ（Direct Memory Access）転送するための制御プログラムと、ＲＡＭ１３２からＬＣＤ制御回路１２５に画像データをＤＭＡ転送するための制御プログラムと、画像データをＪＰＥＧ圧縮またはＭＰＥＧ圧縮し、所定のファイル形式でフラッシュメモリ１３３に格納するための制御プログラムと、操作部１２９の操作に伴って撮影動作を指示するための制御プログラム等が含まれる。
【００３７】
ＲＡＭ１３２は、画像処理回路１１４から出力された画像データ（ＹＣｂＣｒ形式の画像データ）を一時記憶する。また、ＲＡＭ１３２は、フラッシュメモリ１３３から読み出されたＪＰＥＧ圧縮またはＭＰＥＧ圧縮された画像データを一時記憶するテンポラリバッファとして使用される。また、ＣＰＵ１２４が画像データに対して圧縮伸長処理を行うための作業用メモリとしても使用される。
【００３８】
フラッシュメモリ１３３は、ＣＰＵ１２４によってＪＰＥＧ圧縮またはＭＰＥＧ圧縮された画像データを記憶する。ＬＣＤ制御回路１２５は、ＶＲＡＭ１２６に記憶された画像データに基づいて表示駆動回路１２７を制御する。
【００３９】
表示駆動回路１２７は、ＬＣＤ制御回路１２５の制御下、ＬＣＤ表示装置１２８に対して制御信号を供給し、ＬＣＤ表示装置１２８を駆動する。ＬＣＤ表示装置１２８は、表示駆動回路１２７から供給された制御信号によって駆動され、ＶＲＡＭ１２６に記憶された画像データを表示する。
【００４０】
操作部１２９は、シャッタボタンや録画ボタン等の各種操作ボタンからなり、操作された操作ボタンに対応する信号をＣＰＵ１２４に供給する。ＬＣＤ表示装置１２８は、電子ビューファインダとして機能し、例えば、６４０×４８０画素の表示能力を有している。
【００４１】
マイク１２０は、周囲の音声を音声信号に変換する。Ａ／Ｄ変換回路１２１は、マイク１２０より供給された音声信号をデジタルの音声データに変換した後、ＣＰＵ１２４に供給する。
【００４２】
充電池１２２は、カメラ１００の各部に電力を供給する。この充電池１２２は、電源コネクタ１５０と接続されており、カメラ１００がクレードル２００に装着されたとき、電源コネクタ１５０を介してクレードル２００より供給される電力によって充電されるようになっている。
【００４３】
ＤＣ／ＤＣコンバータ１２３は、充電池１２２から出力される電力に対応する出力電圧を、ＣＰＵ１２４およびその他の部分に必要な電圧に変換し、各部に供給する。マルチプレクサ１３０は、後述するように、撮影された画像に対応する画像データおよびフラッシュメモリ１３３に記憶された画像データを様々な組み合わせで多重化する。
【００４４】
システムバス１４０は、アドレス線、データ線、および制御線からなり、ＣＰＵ１２４、マルチプレクサ１３０、ＲＯＭ１３１、ＲＡＭ１３２、および、フラッシュメモリ１３３を接続する。
【００４５】
また、システムバス１４０は、データコネクタ１６０と接続されており、カメラ１００がクレードル２００に装着されたとき、データコネクタ１６０を介してクレードル２００にデータを転送することができるようになっている。
【００４６】
クレードル２００は、カメラ１００の充電池１２２を充電する機能、および、フラッシュメモリ１３３に記憶されている画像データをバックアップする機能を有する。
【００４７】
また、クレードル２００は、ＵＳＢ（Universal Serial Bus）コネクタ２０１、電源回路２０２、電源検出回路２０３、充電回路２０４、電源コネクタ２５０、制御回路２１０、ハードディスク装置（ＨＤＤ）２２０、デマルチプレクサ２３０、システムバス２４０、および、データコネクタ２６０とを備える。
【００４８】
カメラ１００がクレードル２００に装着されたとき、クレードル２００の電源コネクタ２５０はカメラ１００の電源コネクタ１５０と接続される。また、クレードル２００のデータコネクタ２６０はカメラ１００のデータコネクタ１６０と接続される。
【００４９】
これにより、クレードル２００の電源検出回路２０３とカメラ１００の充電池１２２が接続されるとともに、クレードル２００の充電回路２０４とカメラ１００の充電池１２２とが接続される。
【００５０】
電源回路２０２は、電源検出回路２０３によって起動され、クレードル２００の各部に電力を供給する。充電回路２０４は、電源回路２０２から供給された電力を使って充電池１２２を充電する。
【００５１】
電源検出回路２０３は、電源コネクタ２５０の電圧の変化に基づいて、電源コネクタ１５０と電源コネクタ２５０とが接続されたか否かを検出し、電源コネクタ１５０と電源コネクタ２５０とが接続されたことが検出された場合、電源回路２０２を起動する。
【００５２】
制御回路２１０は、（図示しない）ＣＰＵ、ＲＯＭ、および、ＲＡＭ等によって構成され、ＣＰＵ１２４の制御下、ＨＤＤ２２０への画像データの書き込みおよびＨＤＤ２２０からの画像データの読み出しを制御する。
【００５３】
例えば、ＣＰＵ１２４によりリアルタイムにシステム１４０を介してＲＡＭ１３２に供給された画像データは、ＣＰＵ１２４の制御によって圧縮された後、マルチプレクサ１３０に供給され、多重化された後、システムバス１４０およびデータコネクタ１６０を介してクレードル２００のデータコネクタ２６０およびシステムバス２４０経由でデマルチプレクサ２３０に供給される。
【００５４】
デマチプレクサ２３０に供給された多重化された画像データは分離され、分離された画像データが制御回路２１０の制御によりＨＤＤ２２０に書き込まれる。
【００５５】
制御回路２１０は、ＨＤＤ２２０に記憶されている画像データを適宜読み出し、ＵＳＢ２０１に接続されているコンピュータ等に送信することができる。従って、ユーザは、ＵＳＢ２０１にコンピュータを接続することにより、ＨＤＤ２２０に記憶されている画像データを参照することができる。
【００５６】
次に、本発明の実施の形態におけるカメラ１００およびクレードル２００の動作について説明する。
【００５７】
着脱可能なフラッシュメモリ１３３がカメラ１００の（図示しない）フラッシュメモリ装着部に装着され、フラッシュメモリ１３３がシステムバス１４０に接続されると、ＣＰＵ１２４は、フラッシュメモリ１３３に画像データを保存するためのＤＣＦ（Design rule for Camera File system）対応フォルダ構造をフラッシュメモリ１３３内に形成する。
【００５８】
ユーザが操作部１２９のシャッタボタンを押下すると、ＣＰＵ１２４は画像処理回路１１４から出力される画像データをＪＰＥＧ圧縮し、その後、圧縮された画像データに対し付属データを所定の形式で付加し、フラッシュメモリ１３３内に作成したフォルダにＪＰＥＧファイルとして保存する。
【００５９】
なお、フラッシュメモリ１３３をカメラ１００本体から取り外し、既存のカードリーダを介してコンピュータに接続することにより、フラッシュメモリ１３３に記憶されている全てのファイルの内容をコンピュータのモニタ画面上に表示させることができる。
【００６０】
ＬＣＤ制御回路１２５は、ＣＰＵ１２４より供給されるＹＣｒＣｂ形式の画像データ（画像処理回路１１４から出力された画像データ、または、フラッシュメモリ１３３から読み出されたＪＰＥＧ伸長された画像データ）をＲＧＢ形式に変換し、変換した表示イメージどおりのＲＧＢ形式の画像データ（以下、ＲＧＢ画像データと記載する）をＶＲＡＭ１２６に書き込む。
【００６１】
ＬＣＤ制御回路１２５は、その後、ＶＲＡＭ１２６に記憶されたＲＧＢ画像データを読み出し、表示駆動回路１２７に供給する。表示駆動回路１２７は、ＬＣＤ制御回路１２５から供給されたＲＧＢ画像データに従い、ＬＣＤ表示装置１２８を駆動する。これにより、ＬＣＤ表示装置１２８にＲＧＢ画像データが表示される。
【００６２】
操作部１２９のシャッタボタンは、静止画像の撮影動作の開始を指示するスイッチであり、半押し状態と全押し状態の２つのポジションを採り得る。ＣＰＵ１２４は、撮影前に、フラッシュメモリ１３３の所定のフォルダに記憶された撮影条件を読み出し、その撮影条件に近い値でシャッタスピードおよび絞り値等の制御パラメータを設定する。
【００６３】
また、ＣＰＵ１２４は、シャッタボタンが半押し状態になると、シャッタスピードおよび絞り値等の制御パラメータをロックし、シャッタボタンが全押し状態になると、カメラ１００本体のみで撮影するときは、画像処理回路１１４から出力される画像データをＲＡＭ１３２に転送し、ＪＰＥＧ圧縮した後、所定のファイル名でフラッシュメモリ１３３の所定のフォルダ内に保存する。
【００６４】
クレードル２００にカメラ１００本体を載せると、電源コネクタ１５０と電源コネクタ２５０が互いに接続され、データコネクタ１６０とデータコネクタ２６０も互いに接続される。
【００６５】
電源検出回路２０３は電源コネクタ２５０と電源コネクタ１５０の接続を電源コネクタ２５０の電圧の変化によって検知し、電源コネクタ２５０と電源コネクタ１５０の接続が検出されたとき、所定の検出信号を電源回路２０２に供給する。
【００６６】
電源検出回路２０３から検出信号が供給された電源回路２０２は、クレードル２００に電源を投入し、各部に電力を供給する。充電回路２０４は電源回路２０２より供給された電力を電源コネクタ２５０からカメラ１００の電源コネクタ１５０を介して充電池１２２に供給し、充電池１２２の充電を開始させる。充電回路２０４は充電池１２２の充電電圧をモニタし、規定電圧になった時点で充電作業を終了する。
【００６７】
また、クレードル２００の制御回路２１０は、電源回路２０２から電力が供給されると、カメラ１００のフラッシュメモリ１３３に記憶されている画像データをＨＤＤ２２０に転送する。フラッシュメモリ１３３に記憶されている画像データはＨＤＤ２２０に転送される毎に消去される。
【００６８】
また、クレードル２００にカメラ１００を装着した状態で操作部１２９のシャッタボタンが押下されて撮影が指示されると、カメラモジュール１１０によって撮影が行われ、画像処理回路１１４から撮影された画像データが出力される。
【００６９】
この画像データは、ＲＡＭ１３２に展開されてＪＰＥＧ圧縮された後、フラッシュメモリ１３３に記憶されている画像データとともにマルチプレクサ１３０によって多重化され、システムバス１４０、データコネクタ１６０を介してクレードル２００に転送される。
【００７０】
マルチプレクサ１３０は、画像データを多重化する際、フラッシュメモリ１３３に記憶されている画像データよりも、リアルタイムに撮影している画像データを優先させて多重化する。多重化された画像データはシステムバス１４０およびシステムバス２４０経由でクレードル２００にシリアル転送される。転送された画像データは転送される毎にフラッシュメモリ１３３から消去される。
【００７１】
クレードル２００のデマルチプレクサ２３０は、カメラ１００からシステムバス２４０経由で転送されてきた多重化された画像データを分離する。制御回路２１０は、分離された画像データをＨＤＤ２２０に記録する。
【００７２】
カメラ１００からの画像データをＨＤＤ２２０に記録する場合、カメラモジュール１１０によってリアルタイムに撮影された画像データを優先してＨＤＤ２２０に記録することもできる。このとき、制御回路２２０は、既にフラッシュメモリ１３３に記憶されてる画像データをバックグラウンド処理等のようなリアルタイム（実時間処理）ではない処理によりＨＤＤ２２０に移動させる。
【００７３】
クレードル２００には図２に示すような三脚穴２７０が設けられ、三脚のネジを三脚穴２７０に固定することにより、クレードル２００に三脚を取り付けることができるようになっている。従って、カメラ１００をクレードル２００に装着し、そのクレードル２００を三脚に固定することにより、撮影方向を固定して高容量の静止画を連続撮影したり、高容量の動画を撮影したりすることができる。
【００７４】
また、カメラ１００をクレードル２００から取り外すと、カメラ１００本体の充電池１２２はカメラ１００をクレードル２００に装着する前よりも電池残量が増えており、フラッシュメモリ１３３に画像データを記録可能な空き容量も増えており、カメラ１００のみ単独で持ち運んで気軽に撮影できるようになる。
【００７５】
また、カメラ１００のみを手持ちで撮影している最中に、フラッシュメモリ１３３の残容量や充電池１２２の電池残量が減少したために、カメラ１００をクレードル２００に装着して撮影を続けることも考えられるが、その際、リアルタイムで撮影している動画や、連続撮影している静止画を途切れさせることなく撮影を続けるための工夫として、下記のいずれかの制御方法をとることができる。
【００７６】
第１の方法は、カメラ１００のみを手持ちして撮影しているときは、撮影している連射画像や動画像の画像データをフラッシュメモリ１３３に所定のファイル名で記録しているが、フラッシュメモリ１３３の容量をオーバーしてしまいそうになったときには、カメラ１００をクレードル２００に装着し、現在、カメラ１００が撮影している静止画や動画像の画像データをクレードル２００のＨＤＤ２２０に別ファイルとして他のファイル名で記録するものである。
【００７７】
第２の方法は、カメラ１００のみを手持ちして撮影しているときは、フラッシュメモリ１３３に画像データを所定のファイル名で記録しているが、カメラ１００がクレードル２００に装着され、フラッシュメモリ１３３の容量を溢れるようになった（記憶容量が足りなくなった）と同時に、別ファイルとして他のファイル名でクレードル２００のＨＤＤ２２０に記録し、撮影終了後に２つのファイルを繋ぎ、ファイル名等の体裁を整えるものである。
【００７８】
第３の方法は、カメラ１００を手持ちして撮影しているときは、フラッシュメモリ１３３に画像データを記録しているが、カメラ１００がクレードル２００に装着されたと同時に、撮影の途中であっても撮影中の画像データを別ファイルとして他のファイル名を付けてクレードル２００のＨＤＤ２２０に記録するものである。
【００７９】
第４の方法は、カメラ１００を手持ちして撮影しているときは、フラッシュメモリ１３３に画像データを記録しているが、カメラ１００がクレードル２００に装着されたと同時に、撮影の途中であっても撮影中の画像データを別ファイルとして他のファイル名でクレードル２００のＨＤＤ２２０に記録するようにし、撮影終了後にそれらのファイルを繋ぎ、ファイル名等の体裁を整えるものである。
【００８０】
第５の方法は、カメラ１００を手持ちして撮影しているときは、フラッシュメモリ１３３に画像データを記録しているが、カメラ１００がクレードル２００に装着されたと同時に、フラッシュメモリ１３３に既に記録されている画像データを少しずつクレードル２００のＨＤＤ２２０に移動させ、フラッシュメモリ１３３に生じる空き容量に画像データを記録していくものである。
【００８１】
また、逆に、カメラ１００をクレードル２００に装着して撮影している最中に、カメラ１００がクレードル２００から取り外されることも考えられる。その際も、リアルタイムで撮影している動画や、連続撮影している静止画を途切れさせることなく撮影を続けるための工夫として、下記のうちのいずれかの制御方法をとることができる。
【００８２】
第１の方法は、カメラ１００をクレードル２００に装着して撮影しているときは、ＨＤＤ２２０に画像データを記録しているが、カメラ１００がクレードル２００から取り外されると同時に、撮影している画像データを別ファイルとして他のファイル名でフラッシュメモリ１３３に記録するものである。
【００８３】
第２の方法は、カメラ１００をクレードル２００に装着して撮影しているときは、ＨＤＤ２２０に画像データを記録しているが、カメラ１００がクレードル２００から取り外されると同時に、撮影している画像データを別ファイルとして他のファイル名でフラッシュメモリ１３３に記録し、撮影終了後にフラッシュメモリ１３３からＨＤＤ２２０に画像データを移動し、それらのファイルを繋ぎ、ファイル名等の体裁を整えるものである。
【００８４】
また、上記のように、カメラ１００がクレードル２００に対して着脱される場合を考慮して、カメラ１００のＬＣＤ表示装置１２８にフラッシュメモリ１３３の空き容量と画像データの画素数等に基づいて算出した残り撮影可能枚数または残り撮影時間などをリアルタイムに表示することができる。
【００８５】
同様に、クレードル２００の（図示しない）表示装置に、ＨＤＤ２２０の空き容量と画像データの画素数等に基づいて算出した残り撮影可能枚数または残り撮影時間などをリアルタイムに表示するようにしてもよい。これにより、ユーザは残り撮影可能枚数や残り撮影時間をリアルタイムに知ることができ、使い勝手が向上する。
【００８６】
ここで、記録可能な残りの容量（残容量）は、フラッシュメモリ１３３の全記憶容量から使用済みの記憶容量を差し引いたものとして計算することができる。
残容量＝全記憶容量−使用済み記憶容量
【００８７】
また、記録可能な残りの画像の枚数（残り撮影可能枚数）は、残容量を現画素数に対応する記憶容量（画像データを記憶するために必要とされる記憶容量）で除算した結果の商として計算することができる。
残り撮影可能枚数＝（残容量÷現画素数に対応する記憶容量）の商
【００８８】
図２は、カメラ１００をクレードル２００に装着した状態を示す概観斜視図である。クレードル２００は、コンセントから電源の供給を受けるための電源コード（ＡＣコード）２８０と、クレードル２００を三脚に固定するための三脚穴２７０を備えている。
【００８９】
図３は、カメラ１００およびクレードル２００における画像データの授受を示す模式図である。図３（ａ）は、カメラ１００単体で撮影するときの画像データの授受を示す模式図であり、カメラモジュール１１０によって撮影された画像データがフラッシュメモリ１３３に記録されることが示されている。
【００９０】
また、図３（ｂ）は、カメラ１００をクレードル２００に装着した際の画像データの授受を示す模式図であり、カメラモジュール１１０によって撮影された画像データは、クレードル２００のＨＤＤ２２０に記録され、フラッシュメモリ１３３に既に記録された画像データがＨＤＤ２２０に移動されることが示されている。また、クレードル２００の充電回路２０４によってカメラ１００の充電池１２２が充電されることも示されている。
【００９１】
図３に示した例では、クレードル２００に電源コード２８０を設けて電源コードを介して電源を供給するようにしているが、クレードル２００内に高容量の二次電池を内蔵させて、二次電池からカメラ１００の充電池１２２を繰り返し充電するようにしてもよい。
【００９２】
図４は、マルチプレクサ１３０によって画像データが多重化される様子を示している。カメラ１００からクレードル２００に転送される画像データには、カメラモジュール１１０によってリアルタイムに撮影されたもの（ここでは、リアルデータと記載する）と、フラッシュメモリ１３３に既に記憶されているもの（ここでは、メモリデータと記載する）とがある。
【００９３】
ＣＰＵ１２４からシステムバス１４０を介してＲＡＭ１３２に転送されるリアルデータ、および、フラッシュメモリ１３３からシステムバス１４０に送られるメモリデータは、その時点では多重化はされておらず、マルチプレクサ１３０によって多重化される。
【００９４】
マルチプレクサ１３０は、メモリデータとリアルデータとを多重化する場合と、メモリデータ同士、あるいは、リアルデータ同士を多重化する場合がある。多重化された画像データは、システムバス１４０、データコネクタ１６０、クレードル２００のデータコネクタ２６０、および、システムバス２４０を経由してデマルチプレクサ２３０に供給され、分離される。
【００９５】
なお、ここで説明したマルチプレクサ１３０およびデマルチプレクサ２３０による処理は、ＣＰＵ１２４や制御回路２１０の制御によらずにデータ転送を実現するためのものである。これにより、ＣＰＵ１２４や制御回路２１０の負荷を軽減するという利点がある。従って、もしＣＰＵ１２４や制御回路２１０の処理能力に余裕がある場合には、マルチプレクサ１３０およびデマルチプレクサ２３０を設けることなくＣＰＵ１２４や制御回路２１０によってデータ転送制御を行うようにしてもよい。
【００９６】
図５は、カメラ１００のフラッシュメモリ１３３に記録されたファイル＃１と、クレードル２００のＨＤＤ２２０に記録されたファイル＃２を１つのファイル＃１に統合し、ＨＤＤ２２０に記録させることを示している。
【００９７】
例えば、カメラ１００単体で撮影を行い、動画像に対応する画像データをファイル＃１としてフラッシュメモリ１３３に記録している最中に、カメラ１００をクレードル２００に装着すると、それ以降に撮影された動画像に対応する画像データはファイル＃２としてＨＤＤ２２０に記録されるようになる。
【００９８】
また、カメラ１００がクレードル２００に装着されると同時に、フラッシュメモリ１３３に記録されたファイル＃１はＨＤＤ２２０に転送され、転送後にフラッシュメモリ１３３のファイル＃１は消去される。
【００９９】
カメラ１００による撮影が終了したとき、ＨＤＤ２２０には、撮影開始から終了までの一連の動画像に対応する画像データがファイル＃１およびファイル＃２に分かれて記録されている状態となる。
【０１００】
そこで、制御回路２１０は、ＨＤＤ２２０に記録されているファイル＃１とファイル＃２を併合し、新たにファイル＃１としてＨＤＤ２２０に上書き記録する。
【０１０１】
ファイル＃１とファイル＃２が連続した画像データからなるファイルであることを示すために、例えば、ファイル＃１とファイル＃２に連続した番号を付与するか、ファイル＃２のファイル名にファイル＃１のファイル名を含ませるようにすることができる。このようにすれば、どのファイルとどのファイルを併合すればよいかを容易に判断することができる。あるいは、その他の方法で併合すべきファイル同士を関連付けてもよい。
【０１０２】
例えば、ファイルを併合したことによって余ったファイル名は、カメラ１００にフィードバックされる。これにより、次に撮影された画像データは、フィードバックされたファイル名を付けてフラッシュメモリ１３３に記録されることになる。
【０１０３】
図６は、ＨＤＤ２２０の内部構造を示す模式図である。図６（ａ）に示すように、ＨＤＤ２２０は、アクチュエータ３０１と、アーム３０２と、ヘッド３０３と、スピンドル３０４と、プラッタ３０５と、ＨＤＤ２２０の筐体３０６とから構成されている。
【０１０４】
プラッタ３０５の表裏両面には磁性体が塗布されており、プラッタ３０５の表裏両面にデータを記録することができるようになっている。ヘッド３０３はアーム３０２の先端に取り付けられており、後述するアクチュエータ３０１によってアーム３０２が回動するのに伴ってプラッタ３０５の表面上を接触することなくスライドするようになっている。
【０１０５】
ヘッド３０３は、プラッタ３０５の表面の磁性体の磁化の向きを読み出したり書き込んだりする。アクチュエータ３０１は、アーム３０２とヘッド３０３を高精度で駆動し、プラッタ３０５の表面に同心円状に並んだトラックにヘッド３０３を合わせるようになっている。スピンドル３０４は、プラッタ３０５を回転自在に支持し、モータ（ＶＣＭ（Voice Coil Motor））３１７（図７）によって所定の速度で回転されるようになっている。
【０１０６】
また、図６（ｂ）に示すように、ＨＤＤ２２０を制御する制御部は、プリント基板３１０と、端子部３１１と、モータドライバ３１２と、リードライトチャネル回路３１３と、ハードディスクコントローラ３１４と、マイクロコンピュータ３１５とから構成されている。
【０１０７】
リードライトチャネル回路３１３は、書き込むデータをコード変調して出力したり、読み出した信号からデータを検出してコード復調する。モータドライバ３１２は、プラッタ３０５を回転させるＶＣＭ３１７を駆動する。
【０１０８】
マイクロコントローラ３１５は全体の制御を行い、例えば、ヘッド３０３のポジショニング制御などを行う。ハードディスクコントローラ３１４は、エラー訂正回路、バッファコントロール回路、および、サーボ回路などを含む。
【０１０９】
図７は、ＨＤＤ２２０のより詳細な構成例を示す図である。プリアンプ３１６は、ヘッド３０３によって読み出された電気信号を増幅し、増幅した電気信号をリードライトチャネル回路３１３に供給する。また、リードライトチャネル回路３１３より供給された電気信号を増幅し、ヘッド３０３に供給する。
【０１１０】
リードライトチャネル回路３１３は、ハードディスクコントローラ３１４より供給されたプラッタ３０５に書き込むべきデータをコード変調してプリアンプ３１６に供給するとともに、プリアンプ３１６からの出力信号からデータを検出してコード復調し、ハードディスクコントローラ３１４に供給する。
【０１１１】
ハードディスクコントローラ３１４は、エラー訂正回路、バッファコントロール回路、および、サーボ回路などを含み、エラー訂正処理、バッファコントロール処理、サーボ制御等を行う。マイクロコントローラ３１５は、全体の制御を行う。モータドライバ３１２は、ＶＣＭ（Voice Coil Motor）３１７を制御し、所定の速度で回転させる。ＶＣＭ３１７は、スピンドル３０４を介してプラッタ３０５を所定の速度で回転駆動する。
【０１１２】
ＨＤＤ２２０のプラッタ３０５が回転駆動されるとノイズ音が発生し、音声とともにこのノイズ音がマイク１２０によって取り込まれてＨＤＤ２２０またはフラッシュメモリ１３３に記録される場合がある。このＨＤＤ２２０のノイズ音には２種類ある。これらのＨＤＤ２２０のノイズ音の発生原理について簡単に説明する。
【０１１３】
上述したように、ＨＤＤ２２０の内部にはプラッタ３０５とよばれる金属の丸い円盤が入っており、プラッタ３０５の中心部の下部から出ているアーム３０２の先端に読み書き用のヘッド３０３が設けられている。アーム３０２は、アクチュエータ３０１によって駆動され、プラッタ３０５の表面と極めてわずかなすき間を保ちながらプラッタ３０５上を移動する。
【０１１４】
ヘッド３０３は磁気を使ってプラッタ３０５の表面のバームクーヘン形状の区画に対してデータを書き込んだり読み取ったりする。データを読み書きするとき、プラッタ３０５は毎分３，６００〜１０，０００回転もの高速で回転し、同時にアーム３０２がデータの書き込みまたは読み取りを行うべき所定の位置に移動する。
【０１１５】
そのため、プラッタ３０５の中心部のスピンドル３０４からの摩擦による回転音（キーンという高周波の音）や、アーム３０２の移動時のＶＣＭ３１７周りの摩擦によるシーク音(ガリガリ音)が発生する。
【０１１６】
回転速度が高いほどノイズ音が大きくなるので、ノイズ音を抑えて静音にするために、マイク１２０からの音声データを記録している間は、プラッタ３０５の回転速度を落とすようにする。すなわち、カメラ１００のマイク１２０が取り込んだ音声データを記録している間は、プラッタ３０５の回転速度を通常より下げてＨＤＤ２２０が発生するノイズ音を低減させるようにする。
【０１１７】
例えば、通常、プラッタ３０５を回転速度７２００ｒｐｍ（Revolutions Per Minute）で回転させてデータの読み書きを行う場合、カメラ１００のマイク１２０が取り込んだ音声を記録しているときは、ＨＤＤ２２０のノイズ音がマイク１２０に取り込まれて記録されることを抑制するために、プラッタ３０５の回転速度を例えば３６００ｒｐｍ等に落としてＨＤＤ２２０のノイズ音を低減させる。
【０１１８】
また、図８に示すように、図１において、カメラ１００のフラッシュメモリ１３３をハードディスク（ＨＤＤ）６３３とすることもできる。その場合、通常はクレードル２００のＨＤＤ２２０およびカメラ１００のＨＤＤ６３３のそれぞれの回転速度を７２００ｒｐｍにして高速にデータの読み書きを行う。
【０１１９】
しかし、カメラ１００のマイク１２０によって取り込まれた音声をＨＤＤ６３３に記録しているときには、カメラ１００が音声を記録している間、カメラ１００のＨＤＤ６３３の回転速度を例えば３６００ｒｐｍ以下にして、画像データの書き込みを行い、ＨＤＤ６３３が発生するノイズ音が記録されることを抑制する。
【０１２０】
カメラ１００がクレードル２００に装着された状態で撮影を行っている場合において、既にＨＤＤ６３３に記録された撮影された画像データがクレードル２００に転送されている場合も、ＨＤＤ６３３の回転速度を例えば３６００ｒｐｍ以下にすることにより、ＨＤＤ６３３が発生するノイズ音が記録されることを抑制する。
【０１２１】
一方、クレードル２００も、カメラ１００がクレードル２００に装着された状態でカメラ１００が音声を記録していることを検出した場合、ＨＤＤ２２０の回転速度を例えば３６００ｒｐｍ以下にして、ＨＤＤ２２０の発するノイズ音を低減させる。
【０１２２】
クレードル２００は、カメラ１００が装着されたとき、ＲＡＭ１３２等に設定された音声入力設定部５２１の設定値に基づいて、カメラ１００が音声を記録しているか否かを検出することができる。
【０１２３】
図９は、本発明の実施の形態におけるカメラ１００およびクレードル２００の機能構成例を示すブロック図である。
【０１２４】
カメラ１００およびクレードル２００は、接続検出部５０１と、電源制御部５０２と、撮影部５０３と、速度制御部５１１と、限界容量検出部５１２と、処理制御部５１３と、記録処理部５１４と、転送処理部５１５と、音声入力設定部５２１と、外部記憶部５３１と、撮影データメモリ５４１と、画素数メモリ５５１と、ファイル番号カウンタ５６１とを備えている。
【０１２５】
接続検出部５０１は、電源検出回路２０３に対応し、カメラ１００とクレードル２００の接続の有無を検出する。電源制御部５０２は、電源回路２０２に対応し、接続検出部５０１が接続を検出したとき、クレードル２００に対する電源供給を開始する。
【０１２６】
撮影部５０３は、カメラモジュール１１０に対応し、所定の被写体の静止画像または動画像を撮影し、その静止画像または動画像に対応する画像データを記録処理部５１４に供給する。
【０１２７】
記録処理部５１４は、ＣＰＵ１２４または制御部２１０において実行される制御プログラムに対応し、撮影部５０３からの画像データを撮影データメモリ５４１に記録する。その際、記録処理部５１４によってＲＡＭ１３２に記録されたカウントデータに対応するファイル番号カウンタ５６１によって示されるファイル番号に基づいて作成したファイル名のファイルとして記録される。
【０１２８】
このとき、記録される画像データの画素数はＲＡＭ１３２に対応する画素数メモリ５５１に予め設定されている画素数に変換される。
【０１２９】
限界容量検出部５１２は、ＣＰＵ１２４または制御部２１０において実行される制御プログラムに対応し、画素数メモリ５５１に予め設定されている画素数に対応する記憶容量と撮影データメモリ５４１の残容量とに基づいて、いま撮影した画像データを記録することができるか否かを検出する。
【０１３０】
処理制御部５１３は、ＣＰＵ１２４または制御部２１０において実行される制御プログラムに対応し、限界容量検出部５１２からの検出結果に基づいて記録処理部５１４および転送処理部５１５を制御する。
【０１３１】
音声入力設定部５２１は、音声入力の有無が設定されるものであり、例えば、動画であるかまたは静止画であるかを示す撮像モードの設定ボタンとして実現することができる。また、この音声入力設定部５２１は、音声の入力に用いられるマイク１２０のオンまたはオフを切り替えるスイッチとして実現してもよい。
【０１３２】
速度制御部５１１は、ＣＰＵ１２４または制御部２１０において実行される制御プログラムに対応し、接続検出部５０１によりカメラ１００とクレードル２００が接続されたことが検出されたか否か、ならびに、音声入力設定部５２１によって音声を入力するように設定されているか否かに応じて、外部記憶部５３１（ＨＤＤ２２０に対応する）の回転駆動部（ＶＣＭ３１７に対応する）の回転速度を調整する。
【０１３３】
具体的には、カメラ１００とクレードル２００の接続が検出されたとき、外部記憶部５３１の回転駆動部の回転速度を低下させる。接続が検出されないとき、回転速度を通常速度に引き上げる。
【０１３４】
次に、図１０乃至図１２のフローチャートを参照して、カメラ１００およびクレードル２００の処理手順について説明する。図１０のフローチャートは、カメラ１００によって撮影された静止画または動画像のデータをクレードル２００内のＨＤＤ２２０に保存する場合の処理手順を示している。
【０１３５】
まず、ステップＳ９１１において、ユーザによってカメラ１００の（図示しない）電源スイッチが操作され電源がオンされると、カメラ１００の各部に電力が供給され、カメラ１００が起動される。ステップＳ９１２において、クレードル２００の電源検出回路２０３により、電源コネクタ２５０の電圧値に基づいて、カメラ１００がクレードル２００に装着されたか否かが判定される。
【０１３６】
その結果、カメラ１００がクレードル２００に装着されたと判定された場合、ステップＳ９１３に進む。一方、カメラ１００がクレードル２００に装着されていないと判定された場合、ステップＳ９１７に進む。
【０１３７】
ステップＳ９１３においては、電源検出回路２０３より電源がオンされたことが通知された電源回路２０２がクレードル２００の各部に電力の供給を行う。特に、充電回路２０４に対しては充電に必要な電力の供給を行う。充電回路２０４は、電源回路２０２より供給された電力を用いてカメラ１００の充電池１２２に電力を供給し、充電を行う。
【０１３８】
また、ＣＰＵ１２４は、充電池１２２に対する充電が開始されたことを充電池１２２の電圧値等に基づいて検出すると、フラッシュメモリ１３３に記録されている画像データをシステムバス１４０を介してデータコネクタ１６０，２６０、および、システムバス２４０を経由してクレードル２００のＨＤＤ２２０に転送する。
【０１３９】
このとき、マルチプレクサ１３０によって多重化された画像データをクレードル２００側に転送することもできる。その場合、クレードル２００のデマルチプレクサ２３０が多重化された画像データを分離し、分離された画像データは制御回路２１０の制御によりＨＤＤ２２０に転送され、記録される。
【０１４０】
次に、ステップＳ９１４において、操作部１２９が操作され、撮影が指示されたか否かが判定される。その結果、撮影が指示されていないと判定された場合、ステップＳ９１２に戻り、ステップＳ９１２以降の処理が繰り返し実行される。
【０１４１】
一方、撮影が指示されたと判定された場合、ステップＳ９１５に進み、カメラ１００によって撮影が行われ、撮影された画像に対応する画像データがＣＰＵ１２４に供給される。ＣＰＵ１２４に供給された画像データは、一旦、ＲＡＭ１３２に供給され、ＪＰＥＧやＭＰＥＧ等で圧縮される。次に、フラッシュメモリ１３３が溢れそうか否かが判定される。
【０１４２】
すなわち、ＲＡＭ１３２において圧縮された画像データを記録するために必要な空き容量がフラッシュメモリ１３３になく、フラッシュメモリ１３３に画像データを記録することができない状態であるか否かが判定される。
【０１４３】
その結果、フラッシュメモリ１３３に十分な空き容量がなく、画像データをフラッシュメモリ１３３に記録することができないと判定された場合、ステップＳ９１６に進み、ＣＰＵ１２４は、ＲＡＭ１３２に記憶された画像データをクレードル２００に転送するとともに、いま撮影された画像データをリアルタイムでクレードル２００側に転送し、ＨＤＤ２２０に記録させる。
【０１４４】
ステップＳ９１２において、カメラ１００がクレードル２００に装着されていないと判定された場合、ステップＳ９１７に進み、ＣＰＵ１２４により操作部１２９が操作されたか否かが判定される。
【０１４５】
その結果、操作部１２９が操作されていないと判定された場合、ステップＳ９１２に戻り、ステップＳ９１２以降の処理が繰り返し実行される。一方、操作部１２９が操作されたと判定された場合、ステップＳ９１８に進む。
【０１４６】
また、ステップＳ９１５において、フラッシュメモリ１３３が溢れそうではない（撮影された画像データを記録するために必要な空き容量がある）と判定された場合、ステップＳ９１８に進む。ステップＳ９１８においては、ＣＰＵ１２４の制御により、ＲＡＭ１３２に記憶されている圧縮済みの画像データがフラッシュメモリ１３３に供給され、記録される。
【０１４７】
ステップＳ９１６またはステップＳ９１８の処理が終了すると、ステップＳ９１９に進み、ＣＰＵ１２４によりカメラ１００の電源がオフされたか否かが判定される。その結果、カメラ１００の電源がオフされていないと判定された場合、ステップＳ９１２に戻り、ステップＳ９１２以降の処理が繰り返し実行される。
【０１４８】
一方、ステップＳ９１９において、カメラ１００の電源がオフされたと判定された場合、本処理を終了する。
【０１４９】
次に、図１１のフローチャートを参照して、カメラ１００およびクレードル２００の他の処理手順について説明する。図１１のフローチャートは、図１０のフローチャートに、音声を記録しているか否かに応じてＨＤＤ２２０の回転速度を制御する手順を追加したものである。
【０１５０】
まず、ステップＳ９２１において、ユーザによってカメラ１００の電源スイッチが操作され電源がオンされると、カメラ１００の各部に電力が供給され、カメラ１００が起動される。ステップＳ９２２において、クレードル２００の電源検出回路２０３により、電源コネクタ２５０の電圧値に基づいて、カメラ１００がクレードル２００に装着されたか否かが判定される。
【０１５１】
その結果、カメラ１００がクレードル２００に装着されたと判定された場合、ステップＳ９２３に進む。一方、カメラ１００がクレードル２００に装着されていないと判定された場合、ステップＳ９２７に進む。
【０１５２】
ステップＳ９２３においては、電源検出回路２０３より電源がオンされたことが通知された電源回路２０２がクレードル２００の各部に電力の供給を行う。特に、充電回路２０４に対しては充電に必要な電力の供給を行う。充電回路２０４は、電源回路２０２より供給された電力を用いてカメラ１００の充電池１２２に電力を供給し、充電を行う。
【０１５３】
また、ＣＰＵ１２４は、充電池１２２の電圧値等に基づいて充電池１２２に対する充電が開始されたことを検出すると、フラッシュメモリ１３３に記録されている画像データをシステムバス１４０を介してデータコネクタ１６０，２６０、および、システムバス２４０を経由してクレードル２００のＨＤＤ２２０に転送する。
【０１５４】
このとき、マルチプレクサ１３０によって多重化された画像データをクレードル２００側に転送することもできる。その場合、クレードル２００のデマルチプレクサ２３０が多重化された画像データを分離し、分離された画像データは制御回路２１０の制御によりＨＤＤ２２０に転送され、記録される。
【０１５５】
また、ＨＤＤ２２０への画像データの記録時および読出時のＨＤＤ２２０のプラッタ３０５の回転速度は、例えば、７２００ｒｐｍとされる。
【０１５６】
次に、ステップＳ９２４において、操作部１２９が操作され、撮影が指示されたか否かが判定される。その結果、撮影が指示されていないと判定された場合、ステップＳ９２２に戻り、ステップＳ９２２以降の処理が繰り返し実行される。
【０１５７】
一方、撮影が指示されたと判定された場合、ステップＳ９２５に進み、カメラ１００によって撮影が行われ、撮影された画像に対応する画像データがＣＰＵ１２４に供給される。ＣＰＵ１２４に供給された画像データは、一旦、ＲＡＭ１３２に供給され、ＪＰＥＧやＭＰＥＧ等で圧縮される。次に、フラッシュメモリ１３３が溢れそうか否かが判定される。
【０１５８】
すなわち、ＲＡＭ１３２において圧縮された画像データを記録するための空き容量がフラッシュメモリ１３３になく、フラッシュメモリ１３３に画像データを記録することができない状態であるか否かが判定される。
【０１５９】
その結果、フラッシュメモリに十分な空き容量がなく、画像データをフラッシュメモリ１３３に記録することができないと判定された場合、ステップＳ９２６に進む。ステップＳ９２６においては、カメラ１００がマイク１２０によって取り込まれた音声を記録しているか否かが判定される。
【０１６０】
この判定は、音声入力設定部５２１によって設定され、ＲＡＭ１３２等に記憶されている設定情報から判定することができる。例えば、音声付き動画の撮影を行う動作モードに設定されていることを示す設定情報がＲＡＭ１３２に記憶されている場合、ＣＰＵ１２４は、取り込んだ音声を記録していると判定する。
【０１６１】
この判定の結果、カメラ１００がマイク１２０によって取り込まれた音声を記録していないと判定された場合、ステップＳ９２７に進み、撮影された画像データは、リアルタイムでＨＤＤ２２０に供給され、記録される。このとき、ＨＤＤ２２０のプラッタ３０５は例えば７２００ｒｐｍで回転駆動される。
【０１６２】
一方、カメラ１００がマイク１２０によって取り込まれた音声を記録していると判定された場合、ステップＳ９２８に進み、制御回路２１０により、クレードル３０５の回転速度（読出速度）が例えば３６００ｒｐｍに変更される。
【０１６３】
その後、ステップＳ９２９においては、ＣＰＵ１２４は、ＲＡＭ１３２に記憶された画像データをクレードル２００に転送し、撮影された画像データをリアルタイムでクレードル２００内のＨＤＤ２２０に記録する。このとき、ＨＤＤ２２０のプラッタ３０５の回転速度は３６００ｒｐｍにされ、ノイズの発生が抑えられる。
【０１６４】
ステップＳ９２２において、カメラ１００がクレードル２００に装着されていないと判定された場合、ステップＳ９３０に進み、ＣＰＵ１２４により操作部１２９が操作されたか否かが判定される。
【０１６５】
その結果、操作部１２９が操作されていないと判定された場合、ステップＳ９２２に戻り、ステップＳ９２２以降の処理が繰り返し実行される。一方、操作部１２９が操作されたと判定された場合、ステップＳ９３１に進む。
【０１６６】
また、ステップＳ９２５において、フラッシュメモリ１３３が溢れそうではない（撮影された画像データを記録するために必要な空き容量がある）と判定された場合、ステップＳ９３１に進む。ステップＳ９３１においては、ＣＰＵ１２４の制御により、ＲＡＭ１３２に記憶された圧縮済みの画像データがフラッシュメモリ１３３に供給され、記録される。
【０１６７】
ステップＳ９２７またはステップＳ９２９またはステップＳ９３１の処理が終了すると、ステップＳ９３２に進み、ＣＰＵ１２４によりカメラ１００の電源がオフされたか否かが判定される。その結果、カメラ１００の電源がオフされていないと判定された場合、ステップＳ９２２に戻り、ステップＳ９２２以降の処理が繰り返し実行される。
【０１６８】
一方、ステップＳ９３２において、カメラ１００の電源がオフされたと判定された場合、本処理を終了する。
【０１６９】
次に、図１２のフローチャートを参照して、図８に示すように、図１においてフラッシュメモリ１３３をハードディスク（ＨＤＤ）６３３に変更した場合のカメラ１００およびクレードル２００の処理手順について説明する。
【０１７０】
まず、ステップＳ９４１において、ユーザによってカメラ１００の電源スイッチが操作され電源がオンされると、カメラ１００の各部に電力が供給され、カメラ１００が起動される。ステップＳ９４２において、クレードル２００の電源検出回路２０３により、電源コネクタ２５０の電圧値に基づいて、カメラ１００がクレードル２００に装着されたか否かが判定される。
【０１７１】
その結果、カメラ１００がクレードル２００に装着されたと判定された場合、ステップＳ９４３に進む。一方、カメラ１００がクレードル２００に装着されていないと判定された場合、ステップＳ９５０に進む。
【０１７２】
ステップＳ９４３においては、電源検出回路２０３より電源がオンされたことが通知された電源回路２０２がクレードル２００の各部に電力の供給を行う。特に、充電回路２０４に対しては充電に必要な電力の供給を行う。充電回路２０４は、電源回路２０２より供給された電力を用いてカメラ１００の充電池１２２に電力を供給し、充電を行う。
【０１７３】
また、ＣＰＵ１２４は、充電池１２２の電圧値等に基づいて充電池１２２に対する充電が開始されたことを検出すると、フラッシュメモリ１３３に記録されている画像データをシステムバス１４０を介してデータコネクタ１６０，２６０、および、システムバス２４０を経由してＨＤＤ２２０に転送する。
【０１７４】
このとき、マルチプレクサ１３０によって多重化された画像データをクレードル２００側に転送することもできる。その場合、クレードル２００のデマルチプレクサ２３０が多重化された画像データを分離し、分離された画像データが制御回路２１０の制御によりＨＤＤ２２０に転送され、記録される。
【０１７５】
また、ＨＤＤ２２０への画像データの記録時および読出時のＨＤＤ２２０のプラッタ３０５の回転速度は、例えば、７２００ｒｐｍとされる。
【０１７６】
次に、ステップＳ９４４において、操作部１２９が操作され、撮影が指示されたか否かが判定される。その結果、撮影が指示されていないと判定された場合、ステップＳ９４２に戻り、ステップＳ９４２以降の処理が繰り返し実行される。
【０１７７】
一方、撮影が指示されたと判定された場合、ステップＳ９４５に進み、カメラ１００によって撮影が行われ、撮影された画像に対応する画像データがＣＰＵ１２４に供給される。ＣＰＵ１２４に供給された画像データは、一旦、ＲＡＭ１３２に供給され、ＪＰＥＧやＭＰＥＧ等で圧縮される。次に、フラッシュメモリ１３３が溢れそうか否かが判定される。
【０１７８】
すなわち、ＲＡＭ１３２において圧縮された画像データを記録するために必要な空き容量がフラッシュメモリ１３３になく、フラッシュメモリ１３３に画像データを記録することができない状態であるか否かが判定される。
【０１７９】
その結果、フラッシュメモリに十分な空き容量がなく、画像データをフラッシュメモリ１３３に記録することができないと判定された場合、ステップＳ９４６に進む。ステップＳ９４６においては、カメラ１００がマイク１２０によって取り込まれた音声を記録しているか否かが判定される。
【０１８０】
この判定は、音声入力設定部５２１によって設定され、ＲＡＭ１３２等に記憶されている設定情報から判定することができる。例えば、音声付き動画の撮影を行う動作モードに設定されたことを示す設定情報がＲＡＭ１３２に記憶されている場合、ＣＰＵ１２４は、取り込んだ音声を記録していると判定する。
【０１８１】
この判定の結果、カメラ１００がマイク１２０によって取り込まれた音声を記録していないと判定された場合、ステップＳ９４７に進み、撮影された画像データは、リアルタイムでＨＤＤ２２０に供給され、記録される。このとき、ＨＤＤ２２０のプラッタ３０５は例えば７２００ｒｐｍで回転駆動される。
【０１８２】
一方、カメラ１００がマイク１２０によって取り込まれた音声を記録していると判定された場合、ステップＳ９４８に進み、制御回路２１０により、クレードル３０５の回転速度（読出速度）が例えば３６００ｒｐｍに変更される。
【０１８３】
その後、ステップＳ９４９においては、ＣＰＵ１２４は、ＲＡＭ１３２に記憶された画像データをクレードル２００に転送し、撮影された画像データをリアルタイムでクレードル２００内のＨＤＤ２２０に記録する。このとき、ＨＤＤ２２０のプラッタ３０５の回転速度は例えば３６００ｒｐｍにされ、ノイズの発生が抑えられる。
【０１８４】
ステップＳ９４２において、カメラ１００がクレードル２００に装着されていないと判定された場合、ステップＳ９５０に進み、ＣＰＵ１２４により操作部１２９が操作されたか否かが判定される。
【０１８５】
その結果、操作部１２９が操作されていないと判定された場合、ステップＳ９４２に戻り、ステップＳ９４２以降の処理が繰り返し実行される。一方、操作部１２９が操作されたと判定された場合、ステップＳ９５１に進む。
【０１８６】
また、ステップＳ９４５において、フラッシュメモリ１３３が溢れそうではない（撮影された画像データを記録するために必要な空き容量がある）と判定された場合、ステップＳ９５１に進む。
【０１８７】
ステップＳ９５１においては、カメラ１００のマイク１２０によって取り込まれた音声が記録されているか否かが判定される。その結果、カメラ１００のマイク１２０によって取り込まれた音声が記録されていないと判定された場合、ステップＳ９５２に進む。
【０１８８】
ステップＳ９５２においては、カメラ１００によって撮影された画像データは、ＨＤＤ２２０に供給され、記録される。このとき、ＨＤＤ２２０のプラッタ３０５の回転速度は７２００ｒｐｍにされる。
【０１８９】
一方、ステップＳ９５１において、カメラ１００のマイク１２０によって取り込まれた音声が記録されていると判定された場合、ステップＳ９５３に進む。ステップＳ９５３においては、制御回路２１０により、ＨＤＤ６３３の（図示しない）プラッタの回転速度（読出速度）が例えば３６００ｒｐｍに変更される。
【０１９０】
その後、ステップＳ９５４において、ＣＰＵ１２４は、ＲＡＭ１３２に記憶された圧縮済みの画像データをカメラ１００内のＨＤＤ６３３に転送する。すなわち、撮影された画像データをカメラ１００内のＨＤＤ６３３に記録する。このとき、ＨＤＤ６３３のプラッタの回転速度は例えば３６００ｒｐｍにされ、ノイズの発生が抑えられる。
【０１９１】
ステップＳ９４７またはステップＳ９４９またはステップＳ９５４の処理が終了すると、ステップＳ９５５に進み、ＣＰＵ１２４によりカメラ１００の電源がオフされたか否かが判定される。その結果、カメラ１００の電源がオフされていないと判定された場合、ステップＳ９４２に戻り、ステップＳ９４２以降の処理が繰り返し実行される。
【０１９２】
一方、ステップＳ９５５において、カメラ１００の電源がオフされたと判定された場合、本処理を終了する。
【０１９３】
本発明の実施の形態におけるカメラ１００とクレードル２００の用途としては、例えば、結婚式、運動会、長時間の会議等の撮影、あるいは、監視カメラとして使用することが考えられる。また、高容量の静止画の連続撮影、あるいは、高容量の動画撮影を行い、かつ機動性の求められるような多くの場面において使用されることが考えられる。
【０１９４】
例えば、結婚式での使用方法を例にとると次のようになる。まず、クレードル２００を三脚に取り付けておき、会場全体を見渡せるアングルに設定しておく。新郎と新婦の入場の際は、カメラ１００を手持ちして撮影を行い、歓談中はカメラ１００を三脚に取り付けられたクレードル２００に装着して充電を行いつつ、会場の様子を高容量の静止画により連続撮影したり、高容量の動画撮影を行ったりしてクレードル２００内のＨＤＤ２２０に記憶させる。また、その間の時間を利用して、先の入場時に撮影した画像データをクレードル２００内のＨＤＤ２２０に移動させる。
【０１９５】
そして、ケーキ入刀のシーンになったら、カメラ１００をクレードル２００から取り外して撮影を行う。このとき、カメラ１００の充電池１２２は先程よりは充電されており、フラッシュメモリ１３３の空き容量も増えている、従って、カメラ１００を手持ちして気軽に撮影を行うことができる。撮影したいシーンに合わせて以上の動作をＨＤＤ２２０の記憶容量が撮影された画像データで一杯になるまで繰り返すことができる。
【０１９６】
ＨＤＤ２２０の記憶容量が撮影された画像データで一杯になったら、ＵＳＢ２０１を介してコンピュータに繋ぎ、ＨＤＤ２２０に記録された画像データをコンピュータに転送した後、消去するか、あるいは、ＨＤＤ２２０が交換可能であれば、他のＨＤＤ２２０と交換することもできる。
【０１９７】
以上説明したように、カメラ１００内の記憶媒体（フラッシュメモリ１３３またはＨＤＤ６３３）の容量が画像データで一杯になっても、カメラ１００をクレードル２００に装着して、既に記憶媒体（フラッシュメモリ１３３またはＨＤＤ６３３）に記録した画像データをクレードル２００に移動させるとともに、現在撮影している画像データをクレードル２００のＨＤＤ２２０にリアルタイムで記録することができる。
【０１９８】
従って、撮影を中断せずに撮影済みの画像データをバックアップすることができるとともに、クレードル２００にカメラ１００を装着している間は、記憶媒体（フラッシュメモリ１３３またはＨＤＤ６３３）の残容量を気にすることなく、高容量の静止画の連続撮影、または、高容量の動画撮影をすることができる。
【０１９９】
また、カメラ１００をクレードル２００から取り外すと、カメラ１００内の記憶媒体（フラッシュメモリ１３３またはＨＤＤ６３３）の空き容量は増えており、カメラ１００単体を手持ちして気軽に撮影することができる。
【０２００】
このように、カメラ１００本体の手持ち撮影と、クレードル２００にカメラ１００を装着しての高容量の撮影と、カメラ１００本体内の記憶媒体のバックアップとを機動性よく行うことができる。
【０２０１】
また、本発明の撮影装置および外部記憶装置は、複数の機器（例えば、ホストコンピュータ、インタフェース機器、リーダおよびプリンタ等）から構成されるシステムに適用しても、１つの機器（例えば、複写機およびファクシミリ装置）からなる装置に適用してもよい。
【０２０２】
また、上述した実施の形態の機能を実現するように各種のデバイスを動作させるべく当該各種デバイスと接続された装置またはシステム内のコンピュータに、上記実施の形態の機能を実現するためのソフトウェアのプログラムコードを供給し、その装置またはシステムのコンピュータ（ＣＰＵまたはＭＰＵ）を格納されたプログラムに従って動作させ、上記各種デバイスを動作させることによって実施したものも、本願発明の範囲に含まれる。
【０２０３】
この場合、上記ソフトウェアのプログラムコード自体が、前述した実施の形態の機能を実現することになり、そのプログラムコード自体、およびそのプログラムコードをコンピュータに供給するための手段、例えば、かかるプログラムコードを格納した記憶媒体は、本発明を構成する。かかるプログラムコードを格納する記憶媒体としては、例えば、フレキシブルディスク、ハードディスク、光ディスク、光磁気ディスク、ＣＤ−ＲＯＭ、磁気テープ、不揮発性のメモリカードおよびＲＯＭ等を用いることができる。
【０２０４】
また、コンピュータが供給されたプログラムコードを実行することにより、前述の実施の形態の機能が実現されるだけではなく、そのプログラムコードがコンピュータにおいて稼働しているＯＳ（オペレーティングシステム）または他のアプリケーションソフトウェア等と共同して上述の実施の形態の機能が実現される場合にも、かかるプログラムコードが本出願に係る発明の実施の形態に含まれることは言うまでもない。
【０２０５】
更には、供給されたプログラムコードが、コンピュータの機能拡張ボードまたはコンピュータに接続された機能拡張ユニットに備わるメモリに格納された後、そのプログラムコードの指示に基づいて、その機能拡張ボードまたは機能拡張ユニットに備わるＣＰＵ等が実際の処理の一部または全部を行い、その処理によって上述した実施の形態の機能が実現される場合も、本出願に係る発明に含まれることは言うまでもない。
【０２０６】
なお、上記実施の形態において、各種の制御プログラムをカメラ１００のＲＯＭ１３１に格納するようにしたが、その全部または一部をクレードル２００側の制御回路２１０等に格納するようにしてもよい。
【０２０７】
また、上記実施の形態において、クレードル１００内の記録媒体をＨＤＤ２２０としたが、光ディスク、光磁気ディスク、不揮発性のメモリカードなど、他の記録媒体であってもよい。
【０２０８】
また、上記説明において、画像データはすべてＲＡＭ１３２上でＣＰＵ１２４の制御によってＪＰＥＧまたはＭＰＥＧにより圧縮するようにしたが、圧縮を行わずにＲＡＷデータとして扱い、そのＲＡＷデータのまま記録するようにしてもよい。その際、ＲＡＭ１３２を経由しない場合も考えられる。
【０２０９】
また、上記実施の形態において、画像データはＣＰＵ１２４または制御部２１０の制御によって自動で転送されるようにしたが、もちろん、各種手動設定を可能とするように構成してもよい。
【０２１０】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０２１１】
すなわち、請求項１において、撮像手段は例えば撮影部５０３に対応する。また、制御手段は例えば処理制御部５１３に対応する。また、接続手段は例えば電源コネクタ１５０およびデータコネクタ１６０に対応する。また、接続検出手段は例えば接続検出部５０１に対応する。また、転送処理手段は例えば転送処理部５１５に対応する。
【０２１２】
また、請求項３において、判定手段は例えば限界容量検出部５１２に対応する。
【０２１３】
また、請求項６において、接続手段は例えば電源コネクタ２５０およびデータコネクタ２６０に対応する。また、接続検出手段は例えば接続検出部５０１に対応する。また、読出手段は例えば制御回路２１０に対応する。また、保存手段は例えばＨＤＤ２２０に対応する。
【０２１４】
また、請求項８において、撮像手段は例えば撮影部５０３に対応する。また、制御手段は例えば処理制御部５１３に対応する。また、第１の接続手段は例えば電源コネクタ１５０およびデータコネクタ１６０に対応する。また、第１の接続検出手段は例えば接続検出部５０１に対応する。また、転送処理手段は例えば転送処理部５１５に対応する。第２の接続手段は例えば電源コネクタ２５０およびデータコネクタ２６０に対応する。また、第２の接続検出手段は例えば接続検出部５０１に対応する。また、読出手段は例えば制御回路２１０に対応する。また、保存手段は例えばＨＤＤ２２０に対応する。
【０２１５】
また、請求項９または請求項１２において、撮像装置が外部記憶装置に接続されたか否かを検出する手順は例えばステップＳ９１２に対応する。また、撮像装置が外部記憶装置に接続された場合には撮像装置における所定の記憶媒体から外部記憶装置に対して画像に対応する画像データを転送する手順は例えばステップＳ９１３に対応する。また、画像の撮像が指示された場合において撮像装置が外部記憶装置に接続されていれば画像データを外部記憶装置に記憶させる手順は例えばステップＳ９１６に対応する。また、画像の撮像が指示された場合において撮像装置が外部記憶装置に接続されていなければ画像データを撮像装置における記憶媒体に記憶させる手順は例えばステップＳ９１８に対応する。
【０２１６】
また、請求項１０または請求項１３において、撮像装置が外部記憶装置に接続されたか否かを検出する手順は例えばステップＳ９１２に対応する。また、撮像装置が外部記憶装置に接続された場合には撮像装置における所定の記憶媒体から外部記憶装置に対して画像に対応する画像データを転送する手順は例えばステップＳ９１３に対応する。また、撮像装置における記憶媒体が溢れることを検出する手順は例えばステップＳ９１５に対応する。また、画像の撮像が指示された場合において撮像装置が外部記憶装置に接続されていて且つ記憶媒体が溢れるときには画像データを外部記憶装置に記憶させる手順は例えばステップＳ９１６に対応する。また、画像の撮像が指示された場合において撮像装置が外部記憶装置に接続されておらずもしくは撮像装置が外部記憶装置に接続されていても記憶媒体が溢れないときには画像データを撮像装置における記憶媒体に記憶させる手順は例えばステップＳ９１８に対応する。
【０２１７】
また、請求項１１または請求項１４において、撮像装置がハードディスク装置に接続されたか否かを検出する手順は例えばステップＳ９２２に対応する。また、撮像装置において音声入力がされていることを検出する手順は例えばステップＳ９２６に対応する。また、画像の撮像が指示された場合において撮像装置がハードディスク装置に接続されていて且つ撮像装置において音声入力がされていればハードディスク装置のプラッタ回転速度を低下させて記憶させる手順は例えばステップＳ９２８に対応する。
【０２１８】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【産業上の利用可能性】
【０２１９】
本発明の活用例として、例えば、画像データを記録するカメラだけでなく、文字データ等を記録することができる電子手帳やその他の携帯機器の記録媒体に記録されたデータを外部の記録媒体に転送し、その携帯機器の充電を行う際にも本発明を適用することができる。
【図面の簡単な説明】
【０２２０】
【図１】本発明の実施の形態におけるカメラ１００およびクレードル２００の構成例を示すブロック図である。
【図２】本発明の実施の形態におけるカメラ１００をクレードル２００に装着した状態を示す概観斜視図である。
【図３】本発明の実施の形態におけるカメラ１００およびクレードル２００の画像データの授受を示す模式図である。
【図４】本発明の実施の形態におけるカメラ１００のマルチプレクサ１３０によって画像データが多重化される様子を示している。
【図５】本発明の実施の形態におけるカメラ１００のフラッシュメモリ１３３に記録されたファイル＃１と、クレードル２００のＨＤＤ２２０に記録されたファイル＃２を統合する方法を示す図である。
【図６】本発明の実施の形態におけるクレードル２００のＨＤＤ２２０の内部構造を示す模式図である。
【図７】本発明の実施の形態におけるクレードル２００のＨＤＤ２２０のより詳細な構成例を示す図である。
【図８】本発明の実施の形態におけるカメラ１００およびクレードル２００の他の構成例を示すブロック図である。
【図９】本発明の実施の形態におけるカメラ１００およびクレードル２００の機能構成例を示すブロック図である。
【図１０】本発明の実施の形態におけるカメラ１００およびクレードル２００において、カメラ１００によって撮影された静止画または動画像のデータをクレードル２００内のＨＤＤ２２０に保存する処理手順を示すフローチャートである。
【図１１】本発明の実施の形態におけるカメラ１００およびクレードル２００において、音声を記録しているか否かに応じてＨＤＤ２２０の回転速度を制御する手順を示すフローチャートである。
【図１２】本発明の実施の形態におけるカメラ１００およびクレードル２００において、フラッシュメモリ１３３をハードディスクにした場合のカメラ１００およびクレードル２００の処理手順を示すフローチャートである。
【符号の説明】
【０２２１】
１００  カメラ
２００  クレードル
１１０  カメラモジュール
１１１  撮影レンズ
１１２  撮像素子
１１３  撮像素子制御回路
１１４  画像処理回路
１２０  マイク
１２１  Ａ／Ｄ変換回路
１２２  充電池
１２３  ＤＣ／ＤＣコンバータ
１２４  ＣＰＵ
１２５  ＬＣＤ制御回路
１２６  ＶＲＡＭ
１２７  表示駆動回路
１２８  ＬＣＤ表示装置
１２９  操作部
１３０  マルチプレクサ
１３１  ＲＯＭ
１３２  ＲＡＭ
１３３  フラッシュメモリ
１４０，２４０  システムバス
１５０，２５０  電源コネクタ
１６０，２６０  データコネクタ
２００  クレードル
２０１  ＵＳＢ
２０２  電源回路
２０３  電源検出回路
２０４  充電回路
２１０  制御回路
２２０，６３３  ＨＤＤ
２３０  デマルチプレクサ
２７０  三脚穴
２８０  ＡＣコード
３０１  アクチュエータ
３０２  アーム
３０３  ヘッド
３０４  スピンドル
３０５  プラッタ
３０６  筐体
３１０  プリント基板
３１１  端子部
３１２  モータドライバ
３１３  リードライトチャネル回路
３１４  ハードディスクコントローラ
３１５  マイクロコントローラ
３１６  プリアンプ
３１７  ＶＣＭ
５０１  接続検出部
５０２  電源制御部
５０３  撮影部
５１１  速度制御部
５１２  限界容量検出部
５１３  処理制御部
５１４  記録処理部
５１５  転送処理部
５２１  音声入力設定部
５３１  外部記憶部
５４１  撮影データメモリ
５５１  画素数メモリ
５６１  ファイル番号カウンタ
【図１】
2006165851.tif 000003
【図２】
2006165851.tif 000004
【図３】
2006165851.tif 000005
【図４】
2006165851.tif 000006
【図５】
2006165851.tif 000007
【図６】
2006165851.tif 000008
【図７】
2006165851.tif 000009
【図８】
2006165851.tif 000010
【図９】
2006165851.tif 000011
【図１０】
2006165851.tif 000012
【図１１】
2006165851.tif 000013
【図１２】
2006165851.tif 000014